(57)【要約】【課題】構成の簡素化が可能で、かつ、効率よく放電灯を起動させることができるとともに、振動や騒音、輝度むらや内部電極の劣化が起こらないように放電灯を駆動させることが可能な高電圧発生装置、放電灯点灯装置、及び、プロジェクタを提供する。【解決手段】高電圧発生装置（イグナイターユニット１）は、放電灯を起動させるための高電圧を発生させる高電圧発生装置であって、コア部材１０と、放電灯の起動時にパルス電流が供給される一次巻線（第１及び第２の一次巻線２２，２４）と、一方の端子が電源側に接続され、他方の端子が放電灯側に接続された、コモンモードコイルを構成する第１及び第２の二次巻線３２，３４と、を含む。一次巻線には、第１の二次巻線３２の放電灯側の端子に正の誘導電圧が発生し、かつ、第２の二次巻線３４の放電灯側の端子に負の誘導電圧が発生するように、パルス電流が供給される【選択図】図１
2008159303.tif 000002
【特許請求の範囲】
【請求項１】
放電灯を起動させるための高電圧を発生させる高電圧発生装置であって、
コア部材と、
前記コア部材に巻装された、前記放電灯の起動時にパルス電流が供給される一次巻線と、
前記コア部材に巻装された、一方の端子が電源側に接続され、他方の端子が前記放電灯側に接続された、コモンモードコイルを構成する第１及び第２の二次巻線と、
を含み、
前記一次巻線には、
前記第１の二次巻線の前記放電灯側の端子に正の誘導電圧が発生し、かつ、前記第２の二次巻線の前記放電灯側の端子に負の誘導電圧が発生するように、前記パルス電流が供給される高電圧発生装置。
【請求項２】
請求項１記載の高電圧発生装置において、
前記一次巻線は、
前記第１の二次巻線と対になり、前記第１の二次巻線に前記誘導電圧を発生させる第１の前記一次巻線と、
前記第２の二次巻線と対になり、前記第２の二次巻線に前記誘導電圧を発生させる第２の前記一次巻線と、
を有する高電圧発生装置。
【請求項３】
請求項２記載の高電圧発生装置において、
前記コア部材は、
前記第１及び第２の一次巻線が巻装される第１及び第２の一次巻線用コア部と、
前記第１及び第２の二次巻線が巻装される第１及び第２の二次巻線用コア部と、
を有し、
前記第１及び第２の二次巻線用コア部によって構成される第１の閉磁路の磁気抵抗は、前記第１の一次巻線用コア部と第１の二次巻線用コア部とによって構成される第２の閉磁路、及び、前記第２の一次巻線用コア部と第２の二次巻線用コア部とによって構成される第３の閉磁路の磁気抵抗よりも小さい高電圧発生装置。
【請求項４】
請求項３記載の高電圧発生装置において、
前記第１の閉磁路に含まれる第１のギャップは、前記第２の閉磁路に含まれる第２のギャップ及び前記第３の閉磁路に含まれる第３のギャップよりも狭い高電圧発生装置。
【請求項５】
放電灯を点灯させるための放電灯点灯装置であって、
コア部材と、前記コア部材に巻装された、前記放電灯の起動時にパルス電流が供給される一次巻線と、前記コア部材に巻装された、一方の端子が電源側に接続され、他方の端子が前記放電灯側に接続された、コモンモードコイルを構成する第１及び第２の二次巻線と、を有する高電圧発生装置を含み、
前記一次巻線には、
前記第１の二次巻線の前記放電灯側の端子に正の誘導電圧が発生し、かつ、前記第２の二次巻線の前記放電灯側の端子に負の誘導電圧が発生するように、前記パルス電流が供給される放電灯点灯装置。
【請求項６】
請求項５記載の放電灯点灯装置を有するプロジェクタ。
【発明の詳細な説明】
【技術分野】
【０００１】
本発明は、高電圧発生装置、放電灯点灯装置、及び、プロジェクタに関する。
【背景技術】
【０００２】
プロジェクタや照明器具の光源として、内部で絶縁破壊を発生させることによって点灯動作を開始する放電灯（高電圧放電灯）が利用されることがある。
【０００３】
放電灯に関する技術として、放電灯に高電圧を印加して放電灯内部で絶縁破壊を起こし、放電灯を起動させる技術が知られている。また、放電灯の起動後に、交流電流・電圧で放電灯を駆動させ、放電灯の内部電極の片減りを防止して、放電灯の耐用期間を長くする技術が知られている。
【０００４】
ここで、放電灯の起動時に放電灯に高電圧を印加するための端子と、放電灯の駆動時に放電灯に交流を印加するための端子とを共用すれば、放電灯点灯装置の構成を簡素化することができる。
【特許文献１】特開２００５−１５８７９３号公報
【発明の開示】
【発明が解決しようとする課題】
【０００５】
高電圧を発生させるためには、インダクタンスの高いコイルを利用することが重要である。しかし、インダクタンスの高いコイルを介して、放電灯点灯装置に駆動用の交流電圧・電流を供給すると、コア部材の磁気力や、コイルのオーバーシュートやリンギングの影響が大きくなり、コア部材の振動や騒音、放電灯の輝度むらや、内部電極の劣化が発生するおそれがある。
【０００６】
本発明の目的は、構成の簡素化が可能で、かつ、効率よく放電灯を起動させることができるとともに、振動や騒音、輝度むらや内部電極の劣化が起こらないように放電灯を駆動させることが可能な高電圧発生装置、放電灯点灯装置、及び、プロジェクタを提供することにある。
【課題を解決するための手段】
【０００７】
（１）本発明に係る高電圧発生装置は、
放電灯を起動させるための高電圧を発生させる高電圧発生装置であって、
コア部材と、
前記コア部材に巻装された、前記放電灯の起動時にパルス電流が供給される一次巻線と、
前記コア部材に巻装された、一方の端子が電源側に接続され、他方の端子が前記放電灯側に接続された、コモンモードコイルを構成する第１及び第２の二次巻線と、
を含み、
前記一次巻線には、
前記第１の二次巻線の前記放電灯側の端子に正の誘導電圧が発生し、かつ、前記第２の二次巻線の前記放電灯側の端子に負の誘導電圧が発生するように、前記パルス電流が供給される。
【０００８】
本発明によると、二次巻線がコモンモードコイルを構成している。そのため、二次巻線を介して放電灯に駆動用の交流電圧・電流が供給された場合に、２つの二次巻線は、相互に打ち消しあう方向に磁束を発生させる。
【０００９】
また、本発明によると、放電灯の起動時に、一方の二次巻線の放電灯側の端子に正の電圧が発生するように、かつ、他方の二次巻線の放電灯側の端子に負の電圧が発生するように、一次巻線にパルス電流を供給する。そのため、放電灯の起動時に高電圧を印加することが可能になる。
【００１０】
このことから、本発明によれば、放電灯の起動時に高電圧を発生させることができ、かつ、振動や騒音、放電灯の輝度むらや、内部電極の劣化が起こらないように放電灯を駆動させることが可能な高電圧発生装置を提供することができる。
【００１１】
（２）この高電圧発生装置において、
前記一次巻線は、
前記第１の二次巻線と対になり、前記第１の二次巻線に前記誘導電圧を発生させる第１の前記一次巻線と、
前記第２の二次巻線と対になり、前記第２の二次巻線に前記誘導電圧を発生させる第２の前記一次巻線と、
を有していてもよい。
【００１２】
（３）この高電圧発生装置において、
前記コア部材は、
前記第１及び第２の一次巻線が巻装される第１及び第２の一次巻線用コア部と、
前記第１及び第２の二次巻線が巻装される第１及び第２の二次巻線用コア部と、
を有し、
前記第１及び第２の二次巻線用コア部によって構成される第１の閉磁路の磁気抵抗は、前記第１の一次巻線用コア部と第１の二次巻線用コア部とによって構成される第２の閉磁路、及び、前記第２の一次巻線用コア部と第２の二次巻線用コア部とによって構成される第３の閉磁路の磁気抵抗よりも小さくてもよい。
【００１３】
（４）この高電圧発生装置において、
前記第１の閉磁路に含まれる第１のギャップは、前記第２の閉磁路に含まれる第２のギャップ及び前記第３の閉磁路に含まれる第３のギャップよりも狭くてもよい。
【００１４】
（５）本発明に係る放電灯点灯装置は、
放電灯を点灯させるための放電灯点灯装置であって、
コア部材と、前記コア部材に巻装された、前記放電灯の起動時にパルス電流が供給される一次巻線と、前記コア部材に巻装された、一方の端子が電源側に接続され、他方の端子が前記放電灯側に接続された、コモンモードコイルを構成する第１及び第２の二次巻線と、を有する高電圧発生装置を含み、
前記一次巻線には、
前記第１の二次巻線の前記放電灯側の端子に正の誘導電圧が発生し、かつ、前記第２の二次巻線の前記放電灯側の端子に負の誘導電圧が発生するように、前記パルス電流が供給される。
【００１５】
本発明によると、二次巻線がコモンモードコイルを構成している。そのため、二次巻線を介して放電灯に駆動用の交流電圧・電流が供給された場合に、２つの二次巻線は、相互に打ち消しあう方向に磁束を発生させる。
【００１６】
また、本発明によると、放電灯の起動時に、一方の二次巻線の放電灯側の端子に正の電圧が発生するように、かつ、他方の二次巻線の放電灯側の端子に負の電圧が発生するように、一次巻線にパルス電流を供給する。そのため、放電灯の起動時に高電圧を印加することが可能になる。
【００１７】
このことから、本発明によれば、放電灯の起動時に高電圧を発生させることができ、かつ、振動や騒音、放電灯の輝度むらや、内部電極の劣化が起こらないように放電灯を駆動させることが可能な放電灯点灯装置を提供することができる。
【００１８】
（６）本発明に係るプロジェクタは、上記の放電灯点灯装置を有する。
【発明を実施するための最良の形態】
【００１９】
以下、本発明を適用した実施の形態について図面を参照して説明する。ただし、本発明は以下の実施の形態に限定されるものではない。また、本発明は、以下の内容を自由に組み合わせたものを含むものとする。
【００２０】
図１〜図７は、本発明を適用した実施の形態に係る放電灯点灯装置１００について説明するための図である。なお、放電灯点灯装置１００は、放電灯２００の動作を制御する装置である。放電灯点灯装置１００は、放電灯２００に電力を供給する給電装置とみなしてもよい。以下、放電灯点灯装置１００について説明する。
【００２１】
１．放電灯点灯装置１００の構成
はじめに、本実施の形態に係る放電灯点灯装置１００の構成について説明する。
【００２２】
本実施の形態に係る放電灯点灯装置１００は、図１に示すように、イグナイターユニット１を含む。イグナイターユニット１は、放電灯２００を起動させるための高電圧を発生させる高電圧発生装置である。以下、イグナイターユニット１について説明する。
【００２３】
イグナイターユニット１は、図１に示すように、コア部材１０を有する。コア部材１０の材料は特に限定されるものではないが、例えば、フェライトで構成されたフェライトコアであってもよい。コア部材１０は、イグナイターユニット１に含まれる巻線の軸（コア）となる部材である。すなわち、イグナイターユニット１に含まれる巻線は、コア部材１０のいずれかの部分に巻装される。コア部材１０は、第１及び第２の一次巻線２２，２４が巻装される第１及び第２の一次巻線用コア部１２，１４を含んでいてもよい。また、コア部材１０は、第１及び第２の二次巻線３２，３４が巻装される第１及び第２の二次巻線用コア部１６，１８を含んでいてもよい。なお、コア部材１０では、第１及び第２の一次巻線用コア部材１２，１４、及び、第１及び第２の二次巻線用コア部材１６，１８は、別部材によって構成されていてもよい。ただし、コア部材１０は、一次巻線用コア部と二次巻線用コア部とを共用する構成をなしていてもよい（図示せず）。
【００２４】
コア部材１０は、第１及び第２の二次巻線用コア部１６，１８によって構成される閉磁路（第１の閉磁路４１）の磁気抵抗が、第１の一次巻線用コア部１２と第１の二次巻線用コア部１６によって構成される閉磁路（第２の閉磁路４２）の磁気抵抗、及び、第２の一次巻線用コア部１４と第２の二次巻線用コア部１８とによって構成される閉磁路（第３の閉磁路４３）の磁気抵抗よりも小さくなるように構成されていてもよい。例えば、第１の閉磁路４１に含まれる第１のギャップＧｃを、第２の閉磁路４２に含まれる第２のギャップＧ＋及び第３の閉磁路４３に含まれる第３のギャップＧ−よりも狭くすることで、第１の閉磁路４１の磁気抵抗を、第に及び第３の閉磁路４２，４３の磁気抵抗よりも小さくしてもよい。
【００２５】
イグナイターユニット１は、図１に示すように、放電灯２００の起動時にパルス電流が供給される第１及び第２の一次巻線２２，２４を有する。第１及び第２の一次巻線２２，２４は、両端子が電源側に接続された巻線であってもよい。第１及び第２の一次巻線２２，２４は、直列に結合して電源に接続される巻線であってもよい。そして、第１の一次巻線２２は、第１の二次巻線３２と対になり、第１の二次巻線３２に誘導電圧（誘導起電力）を発生させる巻線であってもよい。また、第２の一次巻線２４は、第２の二次巻線３４と対になり、第２の二次巻線３４に誘導電圧を発生させる巻線であってもよい。ただし、変形例として、イグナイターユニット１は、１つの一次巻線のみを有していてもよい。あるいは、第１及び第２の一次巻線２２，２４の一方の端子は、接地されていてもよい。
【００２６】
第１及び第２の一次巻線２２，２４は、イグナイター回路２５（イグナイター回路２５及びインバータ回路５２）を介して、電源（可変直流電源５０）に接続されていてもよい。ここで、イグナイター回路２５とは、放電灯２００の起動時に、第１及び第２の一次巻線２２，２４にパルス電流（イグナイター電流）を供給する回路である。
【００２７】
図２には、イグナイター回路２５の具体的な回路構成の一例を示す。イグナイター回路２５は、図２に示すように、コンデンサ２６と、アレスタ２８とを含んでいてもよい。ここで、アレスタとは、閾値を超える電圧が印加されると放電する特性を備えた素子（スイッチング素子）である。イグナイター回路２５に電圧が印加されると、コンデンサ２６に電荷が蓄えられ、アレスタ２８に印加される電圧が上昇する。そして、アレスタ２８に印加される電圧が閾値を超えると、アレスタ２８が放電し、コンデンサ２６に蓄えられた電荷が第１及び第２の一次巻線２２，２４に供給され、第１及び第２の一次巻線２２，２４にパルス電流が流れる。すなわち、イグナイター回路２５を利用することで、第１及び第２の一次巻線２２，２４に、パルス電流を供給することができる。なお、イグナイター回路２５は、図示しないダイオードなどをさらに含んだ構成をなしていてもよい。
【００２８】
イグナイターユニット１は、図１に示すように、２つの二次巻線（第１及び第２の二次巻線３２，３４）を有する。イグナイターユニット１では、第１の二次巻線３２の一方の端子、及び、第２の二次巻線３４の一方の端子（あわせて２個の端子）が電源側に接続されている。第１及び第２の二次巻線３２，３４は、例えば、イグナイター回路２５（イグナイター回路２５及びインバータ回路５２）を介して、可変直流電源５０に電気的に接続されていてもよい。そして、第１及び第２の二次巻線３２，３４の他の端子（あわせて２個の端子）は、放電灯２００側に接続されている。
【００２９】
本実施の形態では、第１及び第２の二次巻線３２，３４は、それぞれ、コア部材１０における第１及び第２の二次巻線用コア部１６，１８に巻装されている。そして、第１及び第２の二次巻線３２，３４は、コモンモードコイルを構成する。すなわち、第１及び第２の二次巻線３２，３４は、コア部材１０における第１及び第２の二次巻線用コア部１６，１８を含む磁路（第１の閉磁路４１）に、互いに打ち消しあう磁束が発生するように構成されている。詳しくは、第１及び第２の二次巻線３２，３４は、放電灯２００の駆動時（例えば、第１の二次巻線３２に放電灯２００に向かう電流が供給され、第２の二次巻線３４に放電灯２００からの電流が供給される時）に発生する磁束が、第１の閉磁路４１内で、相互に打ち消しあう向きの磁束となるように構成されている。
【００３０】
本実施の形態では、放電灯２００の起動時に、第１の二次巻線３２の放電灯２００側に接続された端子に正（又は負）の誘導電圧が発生し、かつ、第２の二次巻線３４の放電灯２００側に接続された端子に負（又は正）の誘導電圧が発生するように、一次巻線（第１及び第２の一次巻線２２，２４）にパルス電流が供給される。言い換えると、本実施の形態では、放電灯２００の２つの端子に正の誘導電圧と負の誘導電圧とが印加されるように、一次巻線の回転方向と、一次巻線への電流の供給方向が規定されている。これによると、第１及び第２の二次巻線３２，３４に誘起される電圧値の約二倍の電圧を、放電灯２００に印加することができる。そのため、効率よく確実に、放電灯２００に高電圧を印加することが可能になる。
【００３１】
なお、本実施の形態では、コア部材１０、第１及び第２の一次巻線２２，２４、第１及び第２の二次巻線３２，３４をあわせて、イグナイタートランス２と称してもよい。
【００３２】
本実施の形態に係る放電灯点灯装置は、図１に示すように、可変直流電源５０とインバータ回路５２とを含む。可変直流電源５０は、入力電圧Ｖｉｎを受け付けて、電圧ＶＬを出力する。なお、可変直流電源５０は、一定の電力を出力するように制御される定電力電源であってもよい。そして、インバータ回路５２は、可変直流電源５０の出力を方形波交流電圧・電流に変え、第１及び第２の一次巻線２２，２４及び第１及び第２の二次巻線３２，３４に供給する回路である。インバータ回路５２は、例えば、複数のスイッチ（スイッチング素子Ｓ１〜スイッチング素子Ｓ４）を含み、これらを周期的に切り替えることによって、直流電流（電圧）を方形波交流電流（電圧）に変換してもよい。
【００３３】
本実施の形態に係る放電灯点灯装置は、図１に示すように、制御回路６０を含む。制御回路６０は、可変直流電源５０の出力電圧・電流を検出し、可変直流電源５０が一定の電力を出力するように制御（定電力制御）する。また、制御回路６０は、インバータ回路５２のスイッチ（スイッチング素子Ｓ１〜スイッチング素子Ｓ４）を切り替えて、可変直流電源５０からの直流出力を方形波交流出力に変換する。なお、制御回路６０は、放電灯２００の状態（起動・点灯・消灯）を検出する検出部を含んでいてもよい。例えば、制御回路６０は、可変直流電源５０の出力電圧・電流に基づいて、放電灯２００の状態を検出してもよい。制御回路６０は、放電灯２００の起動を検出して起動通知信号を生成する起動通知信号生成部を有していてもよい。制御回路６０は、また、放電灯２００の消灯を検出して消灯通知信号を生成する消灯通知信号生成部を有していてもよい。
【００３４】
本実施の形態に係る放電灯点灯装置１００は、以上の構成をなしていてもよい。
【００３５】
２．放電灯点灯装置１００の動作
以下、図３及び図４を参照して、本実施の形態に係る放電灯点灯装置１００の動作について説明する。なお、図３は、放電灯点灯装置１００の動作を表すタイミングチャート図であり、図４は放電灯２００が起動する様子を説明するための図である。
【００３６】
（１）放電灯２００の起動時
本実施の形態に係る放電灯点灯装置１００は、放電灯２００の起動時に、放電灯２００に起動用の高電圧を印加する。すなわち、放電灯点灯装置１００によると、第１及び第２の一次巻線２２，２４にパルス電流が供給され、これにより第１及び第２の二次巻線３２，３４に誘導された電圧が放電灯２００に印加され、放電灯２００の内部電極間で絶縁破壊が起こり、放電灯２００を起動する。
【００３７】
パルス電流は、イグナイター回路２５を利用して発生させることができる。例えば、スイッチング素子Ｓ１，Ｓ４をオンにして、スイッチング素子Ｓ２，Ｓ３をオフにする場合を例にとって考える。放電灯２００の起動前には、放電灯２００は消灯しているため、スイッチング素子Ｓ１，Ｓ４がオンになっても放電灯２００には電流が流れず、可変直流電源５０の出力電圧ＶＬが高くなる。可変直流電源５０の出力電圧が高まって所定の値を超えると、イグナイター回路２５は動作を開始し、図４に示すように、直列に結合した第１及び第２の一次巻線２２，２４にパルス電流Ｉｉ（イグナイター電流）が供給される。
【００３８】
第１及び第２の一次巻線２２，２４にパルス電流Ｉｉが流れると、図４に示すように、コア部材１０に磁束ΦＩｉが発生し、第１及び第２の二次巻線３２，３４にパルス高電圧が発生する（誘導される）。なお、本実施の形態では、放電灯点灯装置１００（イグナイターユニット１）は、２つの二次巻線（第１及び第２の二次巻線３２，３４）を有する。そして、第１及び第２の二次巻線３２，３４によって、放電灯２００の第１の端子には＋Ｖｈｉが印加され、放電灯２００の第２の端子には−Ｖｈｉが印加される。また、放電灯２００の第１の端子には、予め、電圧ＶＬが印加されている。そのため、第１及び第２の一次巻線２２，２４にパルス電流Ｉｉが流れることで、第１の端子と第２の端子とに印加される電圧の差は、パルス高電圧の２倍に電圧ＶＬが加算された値となる。これにより、放電灯２００の両端子に高電圧が印加され、放電灯２００の内部で絶縁破壊が起こり、放電灯２００が起動する。
【００３９】
図５には、コア部材１０の等価回路を示す。なお、図５に示す等価回路では、コア回路（コア部材１０）の１辺の磁気抵抗をＲとし、各ギャップの磁気抵抗をＲｃ，Ｒ＋，Ｒ−とする。そして、Ｒ＋とＲ−は等しく、かつ、Ｒｃよりも充分小さいとする。起磁力ＮＩ＋により磁気抵抗回路に発生した磁束ΦＩ＋は、分岐点Ａにて、ΦｒとΦｃとに分流する。しかし、ギャップ部の磁気抵抗は、コア１辺の磁気抵抗よりも充分大きいため、第１の一次巻線２２によって第１の一次巻線用コア部１２に発生する磁束の大部分が第１の二次巻線用コア部１６に流れる。そのため、第１の二次巻線３２に効率よく高電圧を発生させることができる。第２の一次巻線２４によって第２の一次巻線用コア部１４に発生する磁束についても同様に、その大部分が第２の二次巻線用コア部１８に流れる。そのため、第２の二次巻線３４に効率よく高電圧を発生させることができる。このことから、本発明によると、放電灯２００の起動時に、放電灯２００に印加する高電圧を効率よく発生させることが可能になる。
【００４０】
（２）放電灯２００の起動後
本実施の形態に係る放電灯点灯装置１００は、放電灯２００の起動後に、第１及び第２の二次巻線３２，３４を介して可変直流電源５０の電力（インバータ回路５２の出力電圧）を放電灯２００に供給し、放電灯２００を駆動（放電灯２００の点灯状態を維持）する。すなわち、放電灯点灯装置１００によると、放電灯２００の点灯状態を維持するために、第１及び第２の二次巻線３２，３４を介して、方形波交流電圧・電流を放電灯２００に供給する。交流電圧・電流によって放電灯２００の点灯状態を維持することで、放電灯２００の内部電極の片減りを防止することができ、放電灯２００の耐用期間（ランプ寿命）を長期化することができる。
【００４１】
放電灯点灯装置１００では、イグナイター回路２５を利用することで、かかる制御が可能になる。すなわち、放電灯点灯装置１００によると、放電灯２００の起動後は放電灯２００内を電流が流れるため、可変直流電源５０の出力電圧は低下する。これにより、イグナイター回路２５は動作を停止し、可変直流電源５０の電力を、第１及び第２の二次巻線３２，３４を介して放電灯２００に供給することができる。
【００４２】
なお、本実施の形態では、２つの二次巻線（第１及び第２の二次巻線３２，３４）は、コモンモードコイルを構成している。これによると、コア部材１０（第１の閉磁路４１）に磁束が発生しないように放電灯２００を駆動させることがでる。例えば図６に示すように、第１の二次巻線３２に放電灯２００に向かう電流Ｉを供給し、第２の二次巻線３４に放電灯２００からの電流Ｉを供給すると、第１及び第２の二次巻線用コア部１６，１８を含む磁路（第１の閉磁路４１）には、互いに打ち消しあう向きの磁束Φが発生する。そして、交流電源が反転し、第１及び第２の二次巻線３２，３４に逆向きの電流が供給された場合にも、互いに打ち消しあう方向の磁束が発生する。そのため、第１の閉磁路４１に大きな磁束が発生することが防止され、放電灯２００の輝度むらや電極の劣化が起こらないように、放電灯２００を駆動させることができる。
【００４３】
３．放電灯点灯装置１００の奏する効果
本実施の形態に係る放電灯点灯装置１００によると、放電灯２００の起動時に、第１及び第２の一次巻線２２，２４に電流（パルス電流）を流すことによって第１及び第２の二次巻線３２，３４にパルス高電圧を発生させる。そして、このパルス高電圧を放電灯２００に印加することによって、放電灯２００の内部で絶縁破壊を起こし、放電灯２００を起動させる。また、放電灯２００の駆動時は、第１及び第２の二次巻線３２，３４を介して、放電灯２００に電力を供給する。
【００４４】
すなわち、本実施の形態に係る放電灯点灯装置１００によると、第１及び第２の二次巻線３２，３４を、放電灯２００の起動時及び駆動時に共用するため、放電灯点灯装置１００の構成を簡素化することができる。
【００４５】
そして、放電灯点灯装置１００によると、第１及び第２の二次巻線３２，３４は、コモンモードコイルを構成している。そのため、第１及び第２の二次巻線用コア部（コア部材１０）に磁束が発生しないように放電灯２００を駆動させることができる。そのため、コア部材１０に磁束が発生しないように放電灯２００を駆動させることができるため、コア部材１０に発生する磁気吸引力が小さくなり、振動や騒音が発生しにくい放電灯点灯装置を提供することができる。また、放電灯２００の駆動時に、オーバーシュートやリンギングが起こりにくく、放電灯２００の輝度むらや、放電灯２００の内部電極の劣化を防止することが可能な放電灯点灯装置を提供することができる。
【００４６】
なお、コア部材１０が、第１の閉磁路４１の磁気抵抗が、第２の閉磁路４２の磁気抵抗、及び、第３の閉磁路４３の磁気抵抗よりも小さくなっている場合には、放電灯２００の駆動時に、第１及び第２の二次巻線３２，３４によって発生する磁束が、第１及び第２の一次巻線用コア部１２，１４に流れ込むことを防止することができる。そのため、放電灯２００をさらに安定して駆動させることが可能になる。
【００４７】
図７に、放電灯点灯装置１００を有する電子機器の一例として、プロジェクタ１０００の概略図を示す。放電灯点灯装置１００がプロジェクタ１０００に利用される場合、放電灯２００から出射された光は、図示しないライトバルブによって変調され、所定の光学系を構成する光学素子を介してスクリーン等に投射される。これにより、スクリーン等に、所望の画像が映し出される。
【００４８】
なお、本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【００４９】
【図１】放電灯点灯装置の構成について説明するための図。
【図２】放電灯点灯装置の構成について説明するための図。
【図３】放電灯点灯装置の動作について説明するための図。
【図４】放電灯点灯装置の動作について説明するための図。
【図５】放電灯点灯装置の動作について説明するための図。
【図６】放電灯点灯装置の動作について説明するための図。
【図７】放電灯点灯装置を有するプロジェクタを示す図。
【符号の説明】
【００５０】
１…イグナイターユニット、  ２…イグナイタートランス、  １０…コア部材、  １２…第１の一次巻線用コア部、  １４…第２の一次巻線用コア部、  １６…第１の二次巻線用コア部、  １８…第２の二次巻線用コア部、  ２２…第１の一次巻線、  ２４…第２の一次巻線、  ２５…イグナイター回路、  ２６…コンデンサ、  ２８…アレスタ、  ３２…第１の二次巻線、  ３４…第２の二次巻線、  ４１…第１の閉磁路、  ４２…第２の閉磁路、  ４３…第３の閉磁路、  ５０…可変直流電源、  ５２…インバータ回路、  ６０…制御回路、  １００…放電灯点灯装置、  ２００…放電灯、  １０００…プロジェクタ
【図１】
2008159303.tif 000003
【図２】
2008159303.tif 000004
【図３】
2008159303.tif 000005
【図４】
2008159303.tif 000006
【図５】
2008159303.tif 000007
【図６】
2008159303.tif 000008
【図７】
2008159303.tif 000009